(57)【要約】【課題】アンテナトップ部分に棒状金具を要しない伸縮式の携帯情報端末用アンテナ装置を提供することを目的とする。【解決手段】棒状アンテナ素子の先端に摺動可能な伸長用素子ＰＩを設け、携帯情報端末の筐体内に収容するときは前記伸長用素子を摺動させて全長が縮小した状態とし、前記棒状アンテナを前記筐体から引き出すときは前記伸長用素子を摺動させて全長を伸長した状態とする携帯情報端末用アンテナ装置において、前記伸長用素子ＰＩ２は、前記棒状アンテナ素子ＮＴと連結する側の端部とは反対側の端部がラッパ状に開き、その開放端に板材により形成された蓋ＬＤが被せられ、この蓋を包み込むように樹脂成形されたことを特徴とする携帯情報端末用アンテナ装置。【選択図】　図１
2004088655.tif 000002
【特許請求の範囲】
【請求項１】
棒状アンテナ素子の先端に摺動可能な伸長用素子を設け、携帯情報端末の筐体内に収容するときは前記伸長用素子を摺動させて全長が縮小した状態とし、前記棒状アンテナを前記筐体から引き出すときは前記伸長用素子を摺動させて全長を伸長した状態とする携帯情報端末用アンテナ装置において、
前記伸長用素子は、前記棒状アンテナ素子と連結する側の端部とは反対側の端部がラッパ状に開き、その開放端に板材により形成された蓋が被せられ、この蓋を包み込むように樹脂成形されたことを特徴とする携帯情報端末用アンテナ装置。
【請求項２】
請求項１記載の携帯情報端末用アンテナ装置において、
前記蓋は、かしめ構造により前記摺動可能な素子に取り付けられた携帯情報端末用アンテナ装置。
【請求項３】
請求項１記載の携帯情報端末用アンテナ装置において、
前記蓋は、溶接により前記摺動可能な素子に取り付けられた携帯情報端末用アンテナ装置。
【発明の詳細な説明】
【０００１】
【産業上の利用分野】
本発明は、携帯情報端末用アンテナ装置に係り、とくに棒状であってアンテナ素子自体が伸縮性を持ったものに関する。
【０００２】
【従来の技術】
携帯情報端末は、小型化が求められており、しかも携帯電話機の場合にはディスプレイの大型化に適合させるために折畳み式のものが主流になりつつある結果、筐体寸法は長さが減少している。このため、アンテナの収納時における長さは短縮する必要がある。そこで、携帯電話機の棒状アンテナは、伸長部を有するものが利用されるようになっている。
【０００３】
従来、この伸長部を有するアンテナ装置は、図３に示す工程によって製作される。すなわち、ニッケル・チタン製の棒状エレメントＮＴにスペーサＳＰ１を挿入し（図３（ａ））、次いでスライドバネＳＳを挿入し（図３（ｂ））、さらにスペーサＳＰ２を挿入した（図３（ｃ））上で、棒状エレメントＮＴにチューブＴＵを被せて１段目のエレメントを構成する（図３（ｄ））。
【０００４】
続いて、図示左端はとくに加工せず図示右端がすぼめられたパイプＰＩ１をチューブＴＵおよびスライドバネＳＳの外周に被せるように図示左側から差込み（図３（ｅ））、次いでパイプＰＩ１の図示左端には心材としての棒状金具ＭＰを挿入する（図３（ｆ），（ｇ））。そして、この棒状金具ＭＰとパイプＰＩ１との接合部をパイプＰＩ１の外周からかしめた（図３（（ｈ））上で、トップＴＰ１を樹脂成形する。
【０００５】
【発明が解決しようとする課題】
このため、棒状金具ＭＰは、パイプＰＩ１の先端に固着されたものであり、この棒状金具ＭＰの長さだけアンテナ長が常に伸ばされた状態になっていて、アンテナ長が筐体寸法の小型化要請に対応するだけ十分に短縮されていない。
【０００６】
本発明は上述の点を考慮してなされたもので、アンテナトップ部分に棒状金具を要しない伸縮式の携帯情報端末用アンテナ装置を提供することを目的とする。
【０００７】
【課題を解決するための手段】
上記目的達成のため、本発明では、
棒状アンテナ素子の先端に摺動可能な伸長用素子を設け、携帯情報端末の筐体内に収容するときは前記伸長用素子を摺動させて全長が縮小した状態とし、前記棒状アンテナを前記筐体から引き出すときは前記伸長用素子を摺動させて全長を伸長した状態とする携帯情報端末用アンテナ装置において、前記伸長用素子は、前記棒状アンテナ素子と連結する側の端部とは反対側の端部がラッパ状に開き、その開放端に板材により形成された蓋が被せられ、この蓋を包み込むように樹脂成形されたことを特徴とする携帯情報端末用アンテナ装置、
を提供することを目的とする。
【０００８】
【発明の実施の形態】
図１は、本発明の一実施例におけるアンテナ装置のトップ部分を断面として示したものである。
【０００９】
この図１には、アンテナのトップ部分を構成するパイプＰＩ２、このパイプＰＩ２の先端開口部を塞ぐ蓋ＬＤ、およびこの蓋ＬＤで塞がれたパイプＰＩ２の先端部を樹脂モールド成形により封止するアンテナトップＴＰ２が示されている。
【００１０】
パイプＰＩ２は、図４におけるパイプＰＩ１に相当し、アンテナトップＴＰ２は図４におけるアンテナトップＴＰ１に相当するものであり、図４における金具ＭＰに替わって蓋ＬＤが設けられている。
【００１１】
図２は、図１に示した実施例の組立工程を示したもので、アンテナトップの部分以外の工程については図３に示した従来の工程と同一である。
【００１２】
すなわち、ニッケル・チタン製の棒状エレメントＮＴにスペーサＳＰ１を挿入し（図２（ａ））、次いでスライドバネＳＳを挿入し（図２（ｂ））、さらにスペーサＳＰ２を挿入した（図２（ｃ））上で、棒状エレメントＮＴにＰＢＴ樹脂またはＰＡ樹脂製のチューブＴＵを被せて１段目のエレメントを構成する（図２（ｄ））。
【００１３】
これ以降の工程はアンテナトップに関するものであり、従来の工程とは異なる。すなわち、ステンレススティール等により形成されたパイプＰＩ２は図示左端がラッパ状に開いた状態に加工されており、図示右端は図３の工程におけると同様にすぼめられている。このパイプＰＩ２をチューブＴＵおよびスライドバネＳＳの外周に被せるように差込む（図２（ｊ））。
【００１４】
次いで、パイプＰＩ２のラッパ状に開いた端部に蓋ＬＤを被せた（図２（ｋ））上で、かしめる（図２（ｌ））。蓋ＬＤは、薄板状の金属を用いて形成すると作業性がよい。そして、パイプＰＩ２における蓋ＬＤが被せられた部分を樹脂モールド成形により被い、アンテナトップＴＰ２を形成する。パイプＰＩ２のラッパ状端部およびこの端部に被せられた蓋ＬＤが樹脂と係合してアンテナトップＴＰ２をパイプＰＩ２に強固に固定する。
【００１５】
このようにして構成されたアンテナは、従来のアンテナに比べて寸法的に短く構成して同一のアンテナ性能を発揮することができる。寸法的に短いということは、棒状アンテナの曲げ荷重耐力が増し、また同一寸法にすればアンテナ性能が向上する。
【００１６】
（変形例）
上記実施例では、パイプＰＩ２に対して蓋ＬＤをかしめて固定しているが、他の固定方法、たとえばスポット溶接などを用いてもよい。
【００１７】
【発明の効果】
本発明は上述のように、伸長部を有する携帯情報端末用アンテナ装置におけるアンテナトップ部分を、パイプの先端をラッパ状に開いて蓋を被せた上で樹脂モールド成形するようにしたため、伸長部のほぼ全体が伸縮機能を持つものとすることができる。このため、棒状アンテナの長さを短くでき、換言すれば同じ寸法では実質的なアンテナ長を長くすることができる。
【図面の簡単な説明】
【図１】本発明の一実施例の構成を示す説明図。
【図２】図２（ａ）ないし（ｄ）、および図２（ｊ）ないし（ｍ）は図１に示した実施例の組立工程を示す図。
【図３】図３（ａ）ないし（ｉ）は、従来の携帯電話機用アンテナの組立工程を示す図。
【図４】従来の携帯電話機用アンテナのアンテナトップ部分を示す説明図。
【符号の説明】
ＮＴ　棒状エレメント
ＳＰ　スペーサ
ＳＳ　スライドバネ
ＴＵ　チューブ
ＰＩ　パイプ
ＬＤ　蓋
ＴＰ　アンテナトップ
ＭＰ　接続金具
【図１】
2004088655.tif 000003
【図２】
2004088655.tif 000004
【図３】
2004088655.tif 000005
【図４】
2004088655.tif 000006